(57)【要約】【課題】電源ケーブルから発生するノイズによる通信不良を防止し得る電動ブラインドを提供する。【解決手段】ヘッドボックス１内に設けたモーターの作動に基づいてスラットを駆動し、ヘッドボックス内にはモーターの動作を制御するコントローラー１３を備え、モーター及びコントローラー１３には電源ケーブル１４を介して電源を供給し、コントローラー１３には操作手段から通信ケーブル１５を介して制御信号が供給される電動ブラインドにおいて、ヘッドボックス１の底辺１７の下方にケーブル収容空間２３を形成し、そのケーブル収容空間２３に通信ケーブル１５を収容し、電源ケーブル１４を底辺１７上に収容した。【選択図】図３
2009007840.tif 000002
【特許請求の範囲】
【請求項１】
ヘッドボックス内に設けたモーターの作動に基づいてスラットを駆動し、前記ヘッドボックス内には前記モーターの動作を制御するコントローラーを備え、前記モーター及びコントローラーには電源ケーブルを介して電源を供給し、前記コントローラーには操作手段から通信ケーブルを介して制御信号が供給される電動ブラインドにおいて、
前記ヘッドボックスの底辺の下方にケーブル収容空間を形成し、そのケーブル収容空間に前記通信ケーブルを収容し、前記電源ケーブルを前記底辺上に収容したことを特徴とする電動ブラインド。
【請求項２】
前記ケーブル収容空間は、前記ヘッドボックスの側辺を前記底辺より下方へ延長した一対のリブと、前記リブ間に支持されて、前記底辺を覆う目隠し板とで構成したことを特徴とする請求項１記載の電動ブラインド。
【請求項３】
前記目隠し板を複数に分割し、該目隠し板で前記ヘッドボックスの底辺の全面を覆うことを特徴とする請求項２記載の電動ブラインド。
【請求項４】
前記底辺の下面には、前記目隠し板を前記リブに向かって押圧する付勢手段を取着したことを特徴とする請求項２又は３記載の電動ブラインド。
【請求項５】
前記ヘッドボックスの一方の側面には、該ヘッドボックスの取付方向を示す目印を備えたことを特徴とする請求項１乃至４のいずれか１項に記載の電動ブラインド。
【請求項６】
前記目印は、前記ヘッドボックスの前側面において、該ヘッドボックスの全長に亘って設けた凹条としたことを特徴とする請求項５記載の電動ブラインド。
【発明の詳細な説明】
【技術分野】
【０００１】
この発明は、電動ブラインドのヘッドボックスに関するものである。
【背景技術】
【０００２】
電動横型ブラインドは、ヘッドボックス内にモーターが収容され、ヘッドボックス外に設けられる操作スイッチ等の操作手段によりモーターの動作を制御して、そのモーターの駆動力によりヘッドボックスから吊下支持されたスラットを昇降し、かつ角度調節可能となっている。
【０００３】
このような電動横型ブラインドでは、ヘッドボックス内にモーターの動作を制御するコントローラーと、そのコントローラーと操作手段とを接続する通信ケーブルと、ヘッドボックス外部からモーターに電源を供給する電源ケーブルとが配設される。
【０００４】
また、窓面に沿って複数の電動横型ブラインドが並設される連装ブラインドでは、各ブラインドの通信ケーブルがヘッドボックス端部で接続され、共通の操作手段で各ブラインドを一括して操作可能となっている。
【特許文献１】登録実用新案第２５８３４３１号公報
【発明の開示】
【発明が解決しようとする課題】
【０００５】
上記のような電動横型ブラインドでは、微小電圧信号を送信する通信ケーブルと、１００Ｖの商用電源を供給する電源ケーブルとがヘッドボックス内に混在する。すると、電源ケーブルから発せられるノイズが通信ケーブルで転送される制御信号に悪影響を及ぼし、通信不良となる場合がある。
【０００６】
特許文献１に記載された電動横型ブラインドでは、ヘッドボックスに配線用空間部を設け、その配線用空間部にケーブルを収容する構成が開示されている。
しかし、電源ケーブルと通信ケーブルと配線用空間部に収容する構成では、ノイズを抑制することはできない。
【０００７】
この発明の目的は、電源ケーブルから発生するノイズによる通信不良を防止し得る電動ブラインドを提供することにある。
【課題を解決するための手段】
【０００８】
請求項１では、ヘッドボックス内に設けたモーターの作動に基づいてスラットを駆動し、前記ヘッドボックス内には前記モーターの動作を制御するコントローラーを備え、前記モーター及びコントローラーには電源ケーブルを介して電源を供給し、前記コントローラーには操作手段から通信ケーブルを介して制御信号が供給される電動ブラインドにおいて、前記ヘッドボックスの底辺の下方にケーブル収容空間を形成し、そのケーブル収容空間に前記通信ケーブルを収容し、前記電源ケーブルを前記底辺上に収容した。
【０００９】
請求項２では、前記ケーブル収容空間は、前記ヘッドボックスの側辺を前記底辺より下方へ延長した一対のリブと、前記リブ間に支持されて、前記底辺を覆う目隠し板とで構成した。
【００１０】
請求項３では、前記目隠し板を複数に分割し、該目隠し板で前記ヘッドボックスの底辺の全面を覆うようにした。
請求項４では、前記底辺の下面には、前記目隠し板を前記リブに向かって押圧する付勢手段を取着した。
【００１１】
請求項５では、前記ヘッドボックスの一方の側面には、該ヘッドボックスの取付方向を示す目印を備えた。
請求項６では、前記目印は、前記ヘッドボックスの前側面において、該ヘッドボックスの全長に亘って設けた凹条とした。
【発明の効果】
【００１２】
本発明によれば、電源ケーブルから発生するノイズによる通信不良を防止し得る電動ブラインドを提供することができる。
【発明を実施するための最良の形態】
【００１３】
以下、この発明を具体化した一実施の形態を図面に従って説明する。図１に示す電動横型ブラインドは、ヘッドボックス１からラダーコード２を介して多数段のスラット３が吊下支持され、ラダーコード２の下端にボトムレール４が取着されている。
【００１４】
前記ヘッドボックス１は、複数の取付ブラケット１ａを介して天井面等の取付面に固定される。取付ブラケット１ａは、ヘッドボックス１の周囲を取り囲む四角枠状に形成され、ヘッドボックス１を保持可能となっている。
【００１５】
前記スラット３の両側部において、前記ラダーコード２の支持位置近傍には昇降テープ５が挿通され、その昇降テープ５の下端に前記ボトムレール４が吊下支持されている。
前記ラダーコード２の吊下位置において、前記ヘッドボックス１内には支持部材６が配設され、図２及び図３に示すように、その支持部材６には吊下げドラム７と、昇降テープ５を巻き取る巻取りドラム８が回転可能に支持されている。
【００１６】
そして、吊下げドラム７の外周面に装着されたクラッチスプリング７ａから前記ラダーコード２が吊下支持され、前記昇降テープ５の上端部が巻取りドラム８に巻着されている。
【００１７】
前記吊下げドラム７及び巻取りドラム８には駆動軸９が相対回転不能に挿通され、その駆動軸９の端部にはモーター１０の出力軸が連結されている。従って、モーター１０が作動すると、吊下げドラム７及び巻取りドラム８が回転され、ラダーコード２を介して各スラット３が角度調節されるとともに、昇降テープ５が巻取りドラム８に巻き取られ、あるいは巻戻されて、ボトムレール４及びスラット３が引き上げられ、あるいは下降する。
【００１８】
前記ヘッドボックス１の一方の端部には、コネクタボックス１１が取着され、ヘッドボックス１の内外の電源ケーブル及び通信ケーブルをそれぞれ接続可能となっている。前記ヘッドボックス１内において、前記コネクタボックス１１の近傍には電源トランス１２が配設され、その電源トランス１２はヘッドボックス１外からコネクタボックス１１を介して供給される１００Ｖの商用電源を降圧して前記モーター１０に供給する。
【００１９】
前記ヘッドボックス１内には前記モーター１０の動作を制御するコントローラー１３が配設されている。コントローラー１３には前記コネクタボックス１１から電源ケーブル１４を介して商用電源が供給され、コントローラー１３上に搭載された電源回路によりコントローラー１３用の直流電源が生成される。
【００２０】
前記コントローラー１３には、ヘッドボックス１外からコネクタボックス１１及び通信ケーブル１５を介して制御信号が供給される。連装型ブラインドの場合は、前記通信ケーブル１５はコネクタボックス１１及び隣接する電動横型ブラインドの通信ケーブルを介して操作スイッチあるいはパソコン等の操作手段に接続される。また、単独で設置される電動横型ブラインドでは、前記コネクタボックス１１を介して操作スイッチ等の操作手段に接続される。
【００２１】
前記駆動軸９はエンコーダ１６に挿通される。エンコーダ１６は、駆動軸９の回転に基づいてパルス信号を生成し、そのパルス信号を前記コントローラー１３に出力する。そして、コントローラー１３は入力されたパルス信号に基づいて駆動軸９の回転量を検出し、その回転量からボトムレール４の高さ及びスラット３の角度を認識するようになっている。
【００２２】
図４に示すように、前記ヘッドボックス１の両側辺の下端部には、底辺１７より下方に突出するリブ１８ａ，１８ｂが形成され、そのリブ１８ａ，１８ｂの先端部は、互いに対向するように水平方向に屈曲されている。
【００２３】
前記リブ１８ａ，１８ｂ間には、目隠し板１９が支持されている。この目隠し板１９は、その幅方向両側縁に前記リブ１８ａ，１８ｂに係合するように上方に屈曲する段差部２０が形成され、その段差部２０の先端の上部には、角部を丸めた隅丸部２１が形成されている。
【００２４】
前記目隠し板１９は、ヘッドボックス１の全長に亘って前記リブ１８ａ，１８ｂ間に支持されているが、複数枚に分割されている。そして、図５〜図７に示すように、ヘッドボックス１の底辺１７の下面中央部には、各目隠し板１９の長手方向両端部に対応する位置にスポンジ（付勢手段）２２が接着されている。
【００２５】
目隠し板１９をヘッドボックス１に取り付ける場合には、目隠し板１９の一方の段差部２０をリブ１８ｂに係合させた状態で、目隠し板１９の他方を持ち上げてリブ１８ａに係合させると、スポンジ２２は目隠し板１９と底辺１７との間で圧縮される。
【００２６】
すると、目隠し板１９の段差部２０がこのスポンジ２２の反発力によりリブ１８ａ，１８ｂに押圧されて、目隠し板１９がリブ１８ａ，１８ｂ間に保持され、底辺１７と目隠し板１９との間にケーブル収容空間２３が形成される。
【００２７】
また、目隠し板１９をリブ１８ａ，１８ｂから取り外すには、目隠し板１９の一方を押し上げながら前後方向にスライドさせれば、図５に示すように、目隠し板１９を取り外し可能である。
【００２８】
また、目隠し板１９がリブ１８ａ，１８ｂ間に保持された状態では、目隠し板１９とリブ１８ａ，１８ｂの下面が面一となるように形成されている。
前記コントローラー１３からコネクタボックス１１まで引き回される通信ケーブル１５は、図３に示すように、コントローラー１３の近傍で底辺１７に形成された挿通孔２４から前記ケーブル収容空間２３に案内される。そして、ケーブル収容空間２３内をコネクタボックス１１に向かって案内され、コネクタボックス１１近傍で底辺１７に形成された挿通孔２６から底辺１７の上方へ案内されて、コネクタボックス１１に接続される。なお、スポンジ２２の取付位置では、前記通信ケーブル１５はスポンジ２２の両側の空間に挿通される。
【００２９】
前記コントローラー１３に電源を供給する電源ケーブル１４は、ヘッドボックス１の底辺１７上でコネクタボックス１１とコントローラー１３とを接続するように配線されている。また、前記電源トランス１２から前記モーター１０に電源を供給するケーブル（図示しない）も底辺１７上で電源トランス１２とモーター１０を接続するように配線される。
【００３０】
図４に示すように、前記ヘッドボックス１は前後方向に線対称状とした形材で形成され、そのヘッドボックス１の前側面、すなわち室内側の側面の下部には、複数の凹条２７が長手方向全長に亘って形成されている。
【００３１】
前記ヘッドボックス１内において、その両側部には上限検出スイッチ２８が取着され、その上限検出スイッチ２８の検出子２９は、底辺１７及び目隠し板１９に形成された挿通孔を貫通して、目隠し板１９の下方に突出されている。そして、ボトムレール４が上限まで引き上げられて、最上段のスラット３が検出子２９を上方へ押圧すると、その検出信号がコントローラー１３に出力されるようになっている。
【００３２】
さて、上記のように構成された電動横型ブラインドでは、操作手段から通信ケーブル１５を介してコントローラー１３に入力される制御信号に基づいて、スラット３の角度調節動作及び昇降動作が行われる。
【００３３】
すなわち、モーター１０が回転すると、吊下げドラム７及びラダーコード２を介してまずスラット３が回動される。そして、スラット３がほぼ全閉状態まで回動された後、モーター１０がさらに同方向へ回転すると、昇降テープ５が巻取りドラム８に巻き取られ、あるいは巻戻されて、ボトムレール４及びスラット３が昇降される。
【００３４】
ボトムレール４が上限まで引き上げられて、最上段のスラット３が上限検出スイッチ２８の検出子２９を押圧すると、その検出信号がコントローラー１３に出力されて、モーター１０の同方向への作動が停止される。
【００３５】
上記のように構成された電動横型ブラインドでは、次に示す作用効果を得ることができる。
（１）ヘッドボックス１の底辺１７の下方にケーブル収容空間２３を設け、コネクタボックス１１とコントローラー１３とを接続する通信ケーブル１５を、ケーブル収容空間２３に収容し、電源ケーブル１４は底辺１７より上方において、ヘッドボックス１内に収容した。従って、通信ケーブル１５を電源ケーブル１４から離して位置させることができるので、通信ケーブル１５での電源ノイズの影響を抑制することができる。また、通信ケーブル１５として高価なシールドケーブルを使用することなく、電源ノイズの影響を抑制することができるので、製造コストを低減することができる。
（２）通信ケーブル１５をケーブル収容空間２３に収容したので、ヘッドボックス１内で配線する電源ケーブル１４や上限検出スイッチ２８の信号線等の収容スペースの確保が容易となり、結線不良あるいはケーブルの断線等の発生を防止することができる。
（３）ケーブル収容空間２３を生成する目隠し板１９により、底辺１７の下面を全面に亘って覆い隠すことができる。従って、電源トランス１２、コントローラー１３及びモーター１０等を底辺１７に固定するためのネジ３０の頭の露出を防止して、ヘッドボックス１の美観を向上させることができる。
（４）底辺１７のスポンジ２２の反発力により、目隠し板１９をヘッドボックス１のリブ１８ａ，１８ｂ間に保持することができる。
（５）ヘッドボックス１の全長に亘って底辺１７を目隠し板１９で覆い、その目隠し板１９とリブ１８ａ，１８ｂとでヘッドボックス１の下面を平坦な水平面とすることができる。従って、取付ブラケット１ａをヘッドボックス１に取り付ける際、ヘッドボックス１の下面にネジの頭が露出しないので、ヘッドボックス１に対する取付ブラケット１ａの取付位置の自由度を向上させることができる。
（６）ヘッドボックス１の前側面に設けた凹条２７を、ヘッドボックス１を取付面に取り付ける際の目印とすることができる。すなわち、ヘッドボックス１が前後方向に対称状であっても、凹条２７が形成された側面を室内側とするようにヘッドボックス１を取付面に固定することにより、ヘッドボックス１の前後を誤るような取付ミスの発生を防止することができる。また、凹条２７を触って確認することができるので、ヘッドボックス１の取付位置が暗い場合にも、ヘッドボックス１の取付方向を容易に確認することができる。
（７）目隠し板１９を複数枚に分割したので、電源トランス１２や、コントローラー１３あるいはモーター１０等の点検や部品交換を行なう場合には、該当する部品位置に対応する目隠し板１９のみを取り外せばよいので、メンテナンス作業が容易である。
【００３６】
上記実施の形態は、以下の態様で実施してもよい。
・スポンジ２２に代えて、ゴム等の弾性材を使用してもよい。
【図面の簡単な説明】
【００３７】
【図１】電動横型ブラインドを示す正面図である。
【図２】ヘッドボックスに内蔵されるスラット駆動装置を示す正面図である。
【図３】スラット駆動装置の主要部を示す正面図である。
【図４】ヘッドボックスを示す斜視図である。
【図５】目隠し板の取り付け手順を示す側面図である。
【図６】目隠し板の取り付け手順を示す側面図である。
【図７】目隠し板と底辺との間のスポンジを示す断面図である。
【符号の説明】
【００３８】
１…ヘッドボックス、３…スラット、１０…モーター、１３…コントローラー、１４…電源ケーブル、１５…通信ケーブル、１７…底辺、１８ａ，１８ｂ…リブ、１９…目隠し板、２３…ケーブル収容空間。
【図１】
2009007840.tif 000003
【図２】
2009007840.tif 000004
【図３】
2009007840.tif 000005
【図４】
2009007840.tif 000006
【図５】
2009007840.tif 000007
【図６】
2009007840.tif 000008
【図７】
2009007840.tif 000009